(57)【要約】【課題】予約記録において、予め登録した放送情報を用いて情報一致検出により番組の録画開始や録画終了を行う場合に、予約番組の開始又は終了時刻が変更になった際にも、番組全体を欠落なく録画すること。【解決手段】記録開始予定時刻，記録終了予定時刻を設定して記録予約を行う情報記録再生装置であって、放送情報を受信する受信手段１０２と、記録予約する番組の開始又は終了に時間的に関連した番組固有情報を予め記憶する記憶手段１１２と、受信手段１０２にて受信中の放送情報と記憶手段１１２に記憶した番組固有情報との一致を検出する検出手段１０７と、検出手段１０７で情報が一致したことを検出した時点から、番組の開始又は終了を行うまでに要する所定の時間を設定する手段１０７と、検出手段１０７で情報が一致したことを検出した時点から、所定の時間を経過した後に記録を開始又は終了させる手段１０７と、を備える。【選択図】  図３
2006319783.tif 000002
【特許請求の範囲】
【請求項１】
記録開始予定時刻，記録終了予定時刻を設定して記録予約を行う情報記録再生装置であって、
放送情報を受信する受信手段と、
記録予約する番組の開始又は終了に時間的に関連した番組固有情報を予め記憶する記憶手段と、
前記受信手段にて受信中の放送情報と前記記憶手段に記憶した前記番組固有情報との一致を検出する検出手段と、
前記検出手段で情報が一致したことを検出した時点から、番組の開始又は終了を行うまでに要する所定の時間を設定する手段と、
前記検出手段で情報が一致したことを検出した時点から、前記所定の時間を経過した後に記録を開始又は終了させる手段と、
を具備したことを特徴とする情報記録再生装置。
【請求項２】
記録開始予定時刻，記録終了予定時刻を設定して記録予約を行う情報記録再生装置であって、
放送情報を受信する受信手段と、
記録予約する番組の終了に時間的に関連した番組固有情報を予め記憶する記憶手段と、
前記受信手段にて受信中の放送情報と前記記憶手段に記憶した前記番組固有情報との一致を検出する検出手段と、
前記検出手段で情報が一致したことを検出した時点から、番組を終了するまでに要する予め定めた第１の時間を設定する手段と、
前記検出手段で情報が一致したことを検出した時点から、前記第１の時間を経過した後に記録を終了させる手段と、
を具備したことを特徴とする情報記録再生装置。
【請求項３】
前記受信手段にて受信中の放送情報と前記記憶手段に記憶した前記番組固有情報との一致を検出することが不能の場合に、前記記録終了予定時刻から予め定めた第２の時間を経過した後に記録を終了することを特徴とする請求項２に記載の情報記録再生装置。
【請求項４】
記録開始予定時刻，記録終了予定時刻を設定して記録予約を行う情報記録再生装置であって、
放送情報を受信する受信手段と、
記録予約する番組の開始に時間的に関連した前の番組の番組固有情報を予め記憶する記憶手段と、
前記受信手段にて受信中の放送情報と前記記憶手段に記憶した前記番組固有情報との一致を検出する検出手段と、
前記検出手段で情報が一致したことを検出した時点から、番組を開始するまでに要する予め定めた第３の時間を設定する手段と、
前記検出手段で情報が一致したことを検出した時点から、前記第３の時間を経過した後に記録を開始させる手段と、
を具備したことを特徴とする情報記録再生装置。
【請求項５】
記録開始予定時刻，記録終了予定時刻を設定して記録予約を行う情報記録再生装置に組み込まれる情報処理用半導体集積回路の制御方法であって、この制御方法は
記録予約する番組の開始又は終了に時間的に関連した番組固有情報を予め記憶手段に記憶させる工程と、
受信中の放送情報と前記記憶手段に記憶した前記番組固有情報との一致を検出する工程と、
前記検出する工程で情報が一致したことを検出した時点から、番組の開始又は終了を行うまでに要する所定の時間を設定する工程と、
前記検出する工程で情報が一致したことを検出した時点から、前記所定の時間を経過した後に記録を開始又は終了させる工程と、
を具備することを特徴とする。
【発明の詳細な説明】
【技術分野】
【０００１】
本発明は、情報の記録及び再生が可能な情報記録再生装置及び情報処理用半導体集積回路の制御方法に関するものである。
【背景技術】
【０００２】
放送番組の開始，終了時刻を登録して記録予約を行い、別時刻に再生して視聴を行うことは、一般的に行われている。また、近年では電子番組ガイドを用いて番組の記録予約を行うことも一般的になってきている。
【０００３】
記録予約を行う番組、又はその前の番組の放送時間が延長された場合に、記録を開始，終了すべき時刻を変更する方法、変更により生じる問題（予約の重複）の解決法については、例えば特許文献１で公知である。
【０００４】
しかしながら、電子番組ガイドなどを用いてこれら番組時間変更情報の送受信が行われない、又は行われていてもリアルタイム性に乏しい等により、記録予約が行われる番組が尻切れになることも多く、記録予約方式としては信頼性が低いものが多い。
【０００５】
ところで、例えば特許文献２には、番組の開始／終了画面を登録しておくことで、当該画面と同様な画面が出現したときこれを検出することにより録画開始や終了を行い、番組の開始／終了時刻が変更されても録画可能にしたものがある。
【０００６】
しかしながら、特許文献２では、録画開始、及び終了を判定するために予め画像情報（番組開始，終了画像）を保存しておいて、予約録画時に実際の放送画像と比較して同一か否かを判定（検出）し、同一であると判定したときに録画開始や終了を行っているが、実放送では、ある番組のオープニングやエンディング等の画像情報（毎放送必ず放送される同じ画像）はいつも番組の先端や終端にくるとは限らない。番組開始とほぼ同時である場合もあるし、番組開始３分後である場合もある。従って、番組開始３分後に登録画像と同じ画像が検出された場合は、番組開始から３分間の画像は録画されないという問題が生じる。番組終了についても同様に、番組の終端部分の何分かが録画されないという問題が生じる。
【特許文献１】特開２００４−５６７９５公報（第１−３頁）
【特許文献２】特開平８−３１５４４９号公報（第１−４頁、図１）
【発明の開示】
【発明が解決しようとする課題】
【０００７】
本発明は、予約記録において、現在放送中の番組の情報と予め登録した番組固有情報との情報一致を検出することにより番組の録画開始や録画終了を行う場合に、予約対象番組の開始又は終了時刻が変更になった際にも、番組内容を取りこぼすことなく番組全体を録画することが可能な情報記録再生装置及び情報処理用半導体集積回路の制御方法を提供することを目的とするものである。
【課題を解決するための手段】
【０００８】
本発明の一態様によれば、記録開始予定時刻，記録終了予定時刻を設定して記録予約を行う情報記録再生装置であって、放送情報を受信する受信手段と、記録予約する番組の開始又は終了に時間的に関連した番組固有情報を予め記憶する記憶手段と、前記受信手段にて受信中の放送情報と前記記憶手段に記憶した前記番組固有情報との一致を検出する検出手段と、前記検出手段で情報が一致したことを検出した時点から、番組の開始又は終了を行うまでに要する所定の時間を設定する手段と、前記検出手段で情報が一致したことを検出した時点から、前記所定の時間を経過した後に記録を開始又は終了させる手段と、を具備する情報記録再生装置が提供される。
【０００９】
本発明の他の態様によれば、記録開始予定時刻，記録終了予定時刻を設定して記録予約を行う情報記録再生装置であって、放送情報を受信する受信手段と、記録予約する番組の終了に時間的に関連した番組固有情報を予め記憶する記憶手段と、前記受信手段にて受信中の放送情報と前記記憶手段に記憶した前記番組固有情報との一致を検出する検出手段と、前記検出手段で情報が一致したことを検出した時点から、番組を終了するまでに要する予め定めた第１の時間を設定する手段と、前記検出手段で情報が一致したことを検出した時点から、前記第１の時間を経過した後に記録を終了させる手段と、を具備する情報記録再生装置が提供される。
【００１０】
本発明のもう１つの他の態様によれば、記録開始予定時刻，記録終了予定時刻を設定して記録予約を行う情報記録再生装置であって、放送情報を受信する受信手段と、記録予約する番組の開始に時間的に関連した前の番組の番組固有情報を予め記憶する記憶手段と、前記受信手段にて受信中の放送情報と前記記憶手段に記憶した前記番組固有情報との一致を検出する検出手段と、前記検出手段で情報が一致したことを検出した時点から、番組を開始するまでに要する予め定めた第３の時間を設定する手段と、前記検出手段で情報が一致したことを検出した時点から、前記第３の時間を経過した後に記録を開始させる手段と、を具備する情報記録再生装置が提供される。
【００１１】
本発明のもう１つの他の態様は、記録開始予定時刻，記録終了予定時刻を設定して記録予約を行う情報記録再生装置に組み込まれる情報処理用半導体集積回路の制御方法であって、この制御方法は、記録予約する番組の開始又は終了に時間的に関連した番組固有情報を予め記憶手段に記憶させる工程と、受信手段にて受信中の放送情報と前記記憶手段に記憶した前記番組固有情報との一致を検出する工程と、前記検出する工程で情報が一致したことを検出した時点から、番組の開始又は終了を行うまでに要する所定の時間を設定する工程と、前記検出する工程で情報が一致したことを検出した時点から、前記所定の時間を経過した後に記録を開始又は終了させる工程と、を具備することを特徴とする。
【発明の効果】
【００１２】
本発明により、予約記録において、現在放送中の番組の情報と予め登録した番組固有情報との情報一致を検出することにより番組の録画開始や録画終了を行う場合に、予約対象番組の開始又は終了時刻が変更になった際にも、番組内容を取りこぼすこと（記録欠落）なく番組全体を録画することが可能な情報記録再生装置及び情報処理用半導体集積回路の制御方法を提供できる。
【発明を実施するための最良の形態】
【００１３】
発明の実施の形態について図面を参照して説明する。  
図１は本発明に係る情報記録再生装置を示すブロック図である。  
図１において、情報記録再生装置１００は、アンテナ１０１に入力されたテレビジョン放送信号の所定チャンネルを選択受信するチューナを含む受信部１０２と、その受信部１０２に設けた外部入力端子１０３とを備えている。
【００１４】
受信部１０２はアナログテレビジョン放送信号をチューナで受信し、内部のビデオデコーダ及びオーディオＡ／Ｄコンバータで映像信号ならびに音声信号を復調しデジタル信号に変換して出力し、外部入力端子１０３には他の記録再生装置などの外部映像機器からのアナログ映像信号や音声信号が入力され、この外部入力された映像信号ならびに音声信号はそれぞれ受信部１０２内部のビデオデコーダ及びオーディオＡ／Ｄコンバータでデジタル信号に変換される。
【００１５】
なお、デジタルテレビジョン放送信号の場合には、受信部１０２は、地上デジタル受信用アンテナ又はＢＳ／１１０度ＣＳ受信用アンテナより入力されたデジタルテレビジョン放送信号の所定チャンネルを選択受信し、デジタルテレビジョン放送信号をＯＦＤＭ復調或いはＱＰＳＫ復調してデジタルの映像信号と音声信号を出力する。
【００１６】
映像および音声の記録時には、デジタルの映像信号と音声信号は、デジタル信号処理プロセッサ（以下、ＤＳＰ）１０４に入力され、ＭＰＥＧ形式のデータにエンコード（圧縮）される。
【００１７】
ＭＰＥＧ信号に圧縮（エンコード）された映像信号および音声信号は、ドライブ部１１６に装填されているＤＶＤディスク１１７に記録される。なお、ＤＶＤディスク１１７の代わりに記録媒体としてハードディスクを用いた構成としてもよい。
【００１８】
映像および音声の再生時には、ＤＶＤディスク１１７からＭＰＥＧ信号（圧縮信号）が読み出されてＤＳＰ１０４に入力され、ＤＳＰ１０４によりＭＰＥＧデコード（復元）される。ＭＰＥＧデコードされたデジタル映像信号は映像処理用プロセッサ１０５を介してアナログ映像信号に変換され、ＭＰＥＧデコードされたデジタル音声信号はオーディオ処理用プロセッサ１０６及びオーディオＤ／Ａコンバータ１１３を介してアナログ音声信号に変換される。
【００１９】
映像処理用プロセッサ１０５からはアナログの映像信号が出力され、オーディオＤ／Ａコンバータ１１３からはアナログの音声信号が出力される。なお、オーディオ処理用プロセッサ１０６からはデジタル音声信号も単独で出力可能とされている。
【００２０】
出力されたアナログのビデオ出力およびオーディオ出力は、例えば映像と音声を再生可能なテレビ受像機または映像表示装置（モニタ装置）およびオーディオアンプ等に供給することで、情報記録再生装置１００から出力された映像信号および音声信号が再生される。
【００２１】
ＣＰＵ１０７にはバス１０８を介してＤＲＡＭインタフェース１０９が接続され、ＤＲＡＭインタフェース１０９には、予約記録において、画像等の情報一致を検出するための登録画像（番組固有情報）を記憶するＤＲＡＭ１１２が接続している。
【００２２】
なお、ＤＳＰ１０４、映像処理用プロセッサ１０５、オーディオ処理用プロセッサ１０６、ＤＲＡＭインタフェース１０９等の個々のユニットは、主制御部であるＣＰＵ１０７にバス１０８にて接続されていて、このＣＰＵ１０７により制御される。  
ＤＳＰ１０４、映像処理用プロセッサ１０５、オーディオ処理用プロセッサ１０６、ＤＲＡＭインタフェース１０９、及びＣＰＵ１０７は、システムＬＳＩとして１つのチップに集積化されている。
【００２３】
ＣＰＵ１０７には、プログラムデータを格納するプログラムＲＯＭ１１４が接続され、システムＬＳＩ１１０に外付けされた水晶振動子１１１の発振信号による基準クロックに基づいて演算処理，時計カウント処理，録画予約条件（開始・終了予定時刻、‘設定時間１〜６’、予約チャネル）の予約設定処理，放送画像と登録画像の画像パターン間のマッチング処理，接続される各種処理専用プロセッサに対する制御処理などを行うものである。
【００２４】
また、ＣＰＵ１０７には、情報記録再生装置１００の動作、例えば録画開始（ＲＥＣ）、画像再生（ＰＬＡＹ）、（録画および再生の）停止（ＳＴＯＰ）、早送り（ＦＦ）、早戻し（ＲＥＷ）、スキップ（ＳＫＩＰ）、時計合わせ／予約時間（ＨＯＵＲ，ＭＩＮ，ＤＡＹ，ＭＯＮＴＨ）の入力、予約条件（ＲＡＴＥ，ＭＯＤＥ，ＤＩＳＫ）の入力、予約チャネルの入力、‘設定時間１〜６’の入力、ならびに主電源のオン／オフ等を可能とするユーザーインタフェース１１５が接続され、赤外線リモコン１１８、本体側操作パネルキー１１９、及び本体側動作状態の表示を行う表示器１０２に対する入出力処理及び表示処理を行う機能も有している。ユーザーインタフェース１１５には、赤外線リモコン１１８により入力されるリモコン制御信号を受け付ける接続部が配設される一方、パネルキー１１９による制御信号を受け付ける入力部も配設されている。
【００２５】
次に、図１の動作を説明する。記録予約する番組の終了時刻に変更が生じた場合の対応処理を図２のフローチャートで実施形態１として説明し、番組の開始時刻にも変更が生じた場合の対応処理を図３のフローチャートで実施形態２として説明する。
【００２６】
図４は、実施形態１，２に用いられる‘設定時間１’〜‘設定時間６’の６つの設定値を説明すると共に、予約時間変更時の時間シフトを説明している。
【実施形態１】
【００２７】
図２は本発明の実施形態１の情報記録再生装置の放送情報予約変更処理のフローチャートを示している。記録する前の番組の終了時間に延長が生じた場合（緊急番組が挿入された場合など）や記録予約して記録中の番組の終了時間に延長が生じた場合（スポーツ番組の延長など）に、記録予約の番組の終了時刻の遅れに対応する記録予約終了動作について説明する。
【００２８】
本発明の実施形態１は、番組の終了時間に延長が起きた場合に、記録予約の番組を終了時まで取りこぼすことのなく記録できるように、ＣＰＵ１０７が記録予約の終了時間を自動的に変更するものである。  
記録予約時に、予めリモコン等の操作手段を用いて記録開始予定時刻及び記録終了予定時刻の記録予約設定がなされ、かつ少なくとも‘設定時間１〜３’（後述）が設定されているものとして説明する。
【００２９】
先ず、蓄積手段としてのＤＶＤディスク１１７に記録されている記録予約する番組の過去放送分の情報（ステップＳ1）の中から、記録予約する番組の固有情報を抜出し、これを‘情報１’としてＤＲＡＭ１１２に事前に記憶する（ステップＳ2）。ここで、‘情報１’即ち番組固有情報とは、記録予約する番組の例えばエンディングを表す画像情報又は音声情報、或いは、時間的にエンディングの近辺に存在する特徴的な画像情報又は音声情報をいう。  
なお、‘情報１’の取得方法については、過去複数回記録した放送番組の情報から同一パターンの情報を検索して時間的に関連した番組の情報として自動的に検索・抽出することが可能である。
【００３０】
そして、ＣＰＵ１０７は記録開始予定時刻に到達したか否かを判定する（ステップＳ3）。記録開始予定時刻になると、予約チャネルの放送情報（画像情報又は音声情報）を受信し（ステップＳ4）、ＤＶＤディスク１１７への番組の記録を開始する（ステップＳ5）。
【００３１】
記録と並行して記録開始時刻から予め定めた‘設定時間１’を経過したか否かを判定する（ステップＳ6）。  
‘設定時間１’は、記録開始時刻から情報一致の比較を開始する比較開始時刻までの時間であり、記録予約時、予め手動又は自動で設定される。比較を開始する時刻については、比較を開始する時刻を記録開始とほぼ同時とすれば、‘設定時間１’はほぼゼロとなり、比較を開始する時刻を限りなく記録終了予定時刻に近づければ、‘設定時間１’は番組の放送予定時間ととほぼ同等となる。
【００３２】
ステップＳ6で‘設定時間１’を経過していれば、ステップＳ7へ移行する。ステップＳ7では、現在受信中の放送情報と前記の事前に記憶してある‘情報１’とをＣＰＵ１０７にて比較する動作を開始する。ステップＳ6で‘設定時間１’を経過していなければ、ステップＳ4へリターンする。
【００３３】
ステップＳ7の比較動作の開始後、現在受信中の放送情報と前記の記憶してある‘情報１’が一致したか否かを判定（検出）する（ステップＳ8）。情報一致か否かの比較の結果、同一であることを確認したら、ステップＳ9へ移行する。ステップＳ9では、同一性を確認した時刻から予め定めた‘設定時間２’を経過したか否かの判定を行う。  
‘設定時間２’は、情報一致検出（判定） から記録終了時刻までの設定時間であり、記録予約時、予め手動又は自動で設定される。情報一致検出（判定） から記録終了時刻までの‘設定時間２’については、‘情報１’の時間的位置が番組終了の位置に対してどの位前の時間であるかを予め予測できれば算出可能である。‘設定時間２’は、予め定めた第１の時間に相当する。
【００３４】
ステップＳ9で‘設定時間２’を経過していれば、ＤＶＤディスク（又はハードディスク）１１７への番組の記録を終了する。‘設定時間２’を経過していなれば、現在受信中の放送情報の記録動作を、‘設定時間２’を経過するまで続行する（ステップＳ10，Ｓ11）。  
一方、ステップＳ8で現在受信中の放送情報と前記の記憶してある‘情報１’との情報比較の結果、情報一致を検出することが不能な場合には、記録終了予定時刻から予め定めた‘設定時間３’を経過したか否かの判定を行う（ステップＳ12）。
【００３５】
‘設定時間３’は、記録終了予定時刻からの実際に記録を強制終了させるまでの経過時間である。‘情報一致を検出することが不能な場合’とは、‘情報１’に相当する放送情報の内容が変更になった場合や、前の番組の延長による、予約記録する予定だった番組の放送が中止となった場合などである。この場合は、‘情報１’に相当する放送情報が放送されないので、不要な記録が継続されることになるので、‘設定時間３’にて記録終了予定時刻からの最大の延長記録時間を設定できるようにする。‘設定時間３’は、予め定めた第２の時間に相当する。  
‘設定時間３’を経過していれば、強制的に記録を終了する。‘設定時間３’を経過していなれば、現在受信中の放送情報の記録動作を、‘設定時間３’を経過するまで続行する（ステップＳ13，Ｓ14）。
【００３６】
本発明の実施形態１によれば、予約記録において、現在受信中の番組の放送情報と予め登録した番組固有情報との情報一致を検出することにより番組の録画終了を実行する場合に、予約対象番組の終了時刻が変更になった際にも、番組内容を欠落することなく番組全体を正確に録画することが可能となる。
【実施形態２】
【００３７】
図３は本発明の実施形態２の情報記録再生装置の放送情報予約変更処理のフローチャートを示している。記録予約を行う番組より前に放送される番組の終了時刻が予定より遅れたため、記録予約を行う番組の開始時刻も同時間遅れる場合に対応（従って、終了時刻も同時間遅れる場合にも対応）する記録予約開始動作について説明する。記録予約終了動作に関係のある‘情報１’の事前記録，及び記録予約開始後の一連の処理は図２の実施形態１と同様である。
【００３８】
本発明の実施形態２は、記録する前の番組の終了時間に延長が起きた場合に、延長された記録予約の番組の開始時間、および、終了時間をＣＰＵ１０７が自動的に変更するものである。
【００３９】
記録予約時に、予めリモコン等の操作手段を用いて記録開始予定時刻及び記録終了予定時刻の記録予約設定がなされ、かつ‘設定時間１〜６’（設定時間４〜６については後述）が設定されているものとして説明する。
【００４０】
先ず、蓄積手段としてのＤＶＤディスク１１７に記録されている記録予約する番組の前の番組の過去放送分の情報（ステップＳ21）の中から、記録予約する番組の固有情報を抜出し、これを‘情報２’としてＤＲＡＭ１１２に事前に記憶する（ステップＳ22）。ここで、‘情報２’即ち番組固有情報とは、記録予約する番組の前の番組の例えばエンディングを表す画像情報又は音声情報、或いは、時間的にエンディングの近辺に存在する特徴的な画像情報又は音声情報をいう。
【００４１】
また、蓄積手段としてのＤＶＤディスク１１７に記録されている記録予約する番組の過去放送分の情報（ステップＳ21）の中から、記録予約する番組の固有情報を抜出し、これを‘情報１’ としてＤＲＡＭ１１２に事前に記憶する（ステップＳ30）。ここで、‘情報１’即ち番組固有情報とは、記録予約する番組の例えばエンディングを表す画像情報又は音声情報、或いは、時間的にエンディングの近辺に存在する特徴的な画像情報又は音声情報をいう。
【００４２】
なお、‘情報１’，‘情報２’の取得方法については、過去複数回記録した放送番組の情報から同一パターンの情報を検索して時間的に関連した番組の情報として自動的に検索・抽出することが可能である。
【００４３】
そして、比較開始時刻（＊１）に到達したか否かを判定する（ステップＳ23）。＊１の比較開始時刻は、記録開始予定時刻より、設定時間４と設定時間５の和だけ早い時刻である。設定時間４と設定時間５については後述する。ステップＳ23で比較開始時刻に到達していれば、予約チャネルの放送情報を受信し（ステップＳ24）、その現在受信中の放送情報と前記の記憶してある‘情報２’との一致を比較する（ステップＳ25）。
【００４４】
ステップＳ25での比較動作の開始後、現在受信中の放送情報と前記の記憶してある‘情報２’が一致したか否かを判定（検出）する（ステップＳ26）。情報一致の比較の結果、同一であることを確認したら、ステップＳ27へ移行する。ステップＳ27では、同一性を確認した時刻から予め定めた‘設定時間４’を経過したか否かの判定を行う。
【００４５】
‘設定時間４’は、情報一致検出（判定） から記録開始時刻までの設定時間であり、記録予約時、予め手動又は自動で設定される。情報一致検出（判定） から記録開始時刻までの‘設定時間４’については、‘情報２’の時間的位置が番組開始の位置に対してどの位前の時間であるかを予め予測できれば算出可能である。‘設定時間４’は、予め定めた第３の時間に相当する。情報一致の比較開始時刻として設定する‘設定時間４’＋‘設定時間５’における‘設定時間５’については、‘設定時間４’は前の番組のエンディングに近くほぼゼロ（即ち番組予約している番組のオープニングの近くとも言える）に設定される可能性もあり、比較動作の開始をそれよりも少し前にする必要があり‘設定時間５’を若干（例えば２〜５分）加えて比較動作開始を行うようにしている。従って、‘設定時間５’についても、記録予約時、予め設定しておく。
【００４６】
一方、ステップＳ26で現在受信中の放送情報と前記の記憶してある‘情報２’との情報比較の結果、情報一致を検出することが不能な場合には、記録開始予定時刻から予め定めた‘設定時間６’を経過したか否かの判定を行う（ステップＳ28）。‘設定時間６’を経過しなければ、ステップＳ24へリターンする。
【００４７】
‘設定時間６’は、実際に記録を開始する時刻の記録開始予定時刻からの最大経過時間である。‘設定時間６’は、予め定めた第４の時間に相当する。‘情報一致を検出することが不能な場合とは、‘情報２’に相当する放送情報の内容が変更になった場合や、前の番組の延長による、‘情報２’を含む番組の放送が中止となった場合、記録開始予定時刻より‘設定時間４’と‘設定時間５’の合計時間より早い時刻に‘情報２’が放送済みとなった場合などである。この場合は、ステップＳ28で‘設定時間６’を経過した後に、情報２’に相当する放送情報が取得されないので、本予約機能を解除する（ステップＳ29）
ここで本予約機能を解除するとは、「予約記録を中止し、放送情報の記録を行わない」、又は「前述の『ステップS21〜S28による、‘情報２’との情報比較により記録開始時刻を決定する機能』を解除して、‘設定時間６’を経過した後から記録を開始して、後述の『ステップS31〜41による、‘情報２’との情報比較により記録終了時刻を決定する機能』により記録を終了する」、或いは「前述の『ステップS21〜S28による、‘情報２’との情報比較により記録開始時刻を決定する機能』を解除して、‘設定時間６’を経過した後から記録を開始して、記録終了予定時刻にて記録を終了する」いずれかの動作を行うものとする。
【００４８】
前述のステップＳ27で‘設定時間４’を経過していれば、ステップＳ31，Ｓ32へ移行する。ステップＳ31，Ｓ32では、‘設定時間４’を経過した後に、現在受信中の予約チャネルの放送情報のＤＶＤディスク（又はハードディスク）１１７への記録を開始する。
【００４９】
記録と並行して記録開始時刻から予め定めた‘設定時間１’を経過したか否かの判定を行う（ステップＳ33）。‘設定時間１’は、前述したように記録開始時刻から比較開始時刻までの時間である。比較開始時刻は番組終了に係わる情報一致比較（検出）動作の開始時刻である。ステップＳ31〜Ｓ41は、図２の実施形態1におけるステップＳ4〜Ｓ14に同じである。
【００５０】
ステップＳ33で‘設定時間１’を経過していれば、ステップＳ34へ移行する。ステップＳ34では、現在受信中の放送情報と前記の事前に記憶してある‘情報１’とをＣＰＵ１０７にて比較する。ステップＳ33で‘設定時間１’を経過していなければ、ステップＳ31へリターンする。
【００５１】
ステップＳ34の比較動作の開始後、現在受信中の放送情報と前記の記憶してある‘情報１’が一致したか否かを判定（検出）する（ステップＳ35）。情報一致の比較の結果、同一であることを確認したら、ステップＳ36へ移行する。ステップＳ36では、その同一性を確認した時刻から予め定めた‘設定時間２’を経過したか否かの判定を行う。‘設定時間２’は、前述したように情報一致検出（判定） から記録終了時刻までの設定時間である。
【００５２】
なお、ステップＳ35での情報一致検出（判定）から番組終了時刻までの時間（‘設定時間２’）については自動測定を行うことも可能である。
【００５３】
ステップＳ36で‘設定時間２’を経過していれば、ＤＶＤディスク（又はハードディスク）１１７への記録を終了する。‘設定時間２’を経過していなれば、現在受信中の放送情報の記録動作を、‘設定時間２’を経過するまで続行する（ステップＳ37，Ｓ38）。
【００５４】
一方、ステップＳ35で現在受信中の放送情報と前記の記憶してある‘情報１’との情報比較の結果、情報一致を検出することが不能な場合には、記録終了予定時刻から予め定めた‘設定時間３’を経過したか否かの判定を行う（ステップＳ39）。‘設定時間３’は、前述したように記録終了予定時刻からの実際に記録を強制終了させるまでの経過時間である。‘設定時間３’を経過していれば、強制的に記録を終了する。‘設定時間３’を経過していなれば、現在受信中の放送情報の記録動作を、‘設定時間３’を経過するまで続行する（ステップＳ40，Ｓ41）。
【００５５】
本発明の実施形態２によれば、予約記録において、現在受信中の番組の放送情報と予め登録した番組固有情報との情報一致を検出することにより番組の録画開始を実行する場合に、予約対象番組の開始時刻が変更になった際にも、番組内容を欠落することなく正確に録画することが可能となる。記録予約する番組の開始時刻に変更がある場合は終了時刻にも変更が生じるが、番組の終了時刻に変更が生じた場合は実施形態１と同様に対処できるので、結果として番組内容を欠落することなく番組全体を正確に録画することが可能となる。
【００５６】
図４は実施形態１，２で用いている‘設定時間１’ 〜 ‘設定時間６’の６つの設定値を説明すると共に、予約時間変更時の時間シフトを説明する図である。
【００５７】
図４(a)は記録再生予約時に設定される設定値を示しており、図４(b)は実施形態１，２に対応しており、記録する番組の前の番組の終了時間が延長された場合の、情報一致の比較動作の開始位置、記録終了及び記録開始のための設定時間の配置を示している。
【００５８】
図４(b)の実施形態１の時間図は図２のフローチャートの動作に対応しており、図４(b)の実施形態２の時間図は図３のフローチャートの動作に対応している。
【００５９】
なお、記録予約する番組の開始又は終了に時間的に関連した番組固有情報は、ＤＶＤディスクに記録されている過去放送分の情報からだけでなく、ネット接続によるウエブサーバーの番組情報から取得することも可能である。
【００６０】
図５は上記番組固有情報をインターネットを介して放送局等の番組情報サーバーから取得することが可能な情報記録再生装置１００Ａを示している。
【００６１】
図５において、図１と異なる点は、受信部１０２Ａがチューナ（図示せず）にて放送情報であるテレビジョン放送信号を受信可能である一方、ネット接続可能なモデム２０１を内蔵しプロバイダー２０２を経由してインターネット２０３上のウエブサーバーである番組情報サーバー２０４を検索し上記の番組固有情報を取得可能としたものである。
【００６２】
受信部１０２Ａは、図１と同様にチューナを用いた受信部１０２による受信機能と、モデム２０１を用いてインターネットに接続し蓄積手段としての番組情報サーバー２０４を検索し必要な番組固有情報を取得する取得機能と、前記受信機能による放送信号出力と前記取得機能による番組固有情報出力を切り替えて出力する切替機能と、を少なくとも含んでいる。番組情報サーバー２０４には、複数の放送局の各々の番組ごとに番組のエンディングやオープニングの画像情報や音声情報が番組固有情報として保存（蓄積）してあり、情報記録再生装置１００Ａの操作手段に基づく番組固有情報の取得指示によって受信部１０２Ａを取得機能側に切り替えて、記録予約する番組の番組固有情報を抽出してＤＲＡＭ１１２に記憶する。
【図面の簡単な説明】
【００６３】
【図１】本発明の実施の形態に係る情報記録再生装置を示すブロック図。
【図２】本発明の実施形態１の情報記録再生装置の放送情報予約変更処理のフローチャート。
【図３】本発明の実施形態２の情報記録再生装置の放送情報予約変更処理のフローチャート。
【図４】本発明の実施形態１，２における‘設定時間１’ 〜 ‘設定時間６’の各設定値を説明すると共に、予約時間変更時の時間シフトを説明する図。
【図５】番組固有情報をインターネットを介して放送局等の番組情報サーバーから獲得することが可能な情報記録再生装置を示すブロック図。
【符号の説明】
【００６４】
１００…情報記録再生装置
１０２…受信部（受信手段）
１０７…ＣＰＵ（情報一致の検出手段、設定手段、記録開始又は終了の制御手段）
１１２…ＤＲＡＭ（記憶手段）
１１７…ＤＶＤディスク（蓄積手段）
２０４…番組情報サーバー（蓄積手段）。
【図１】
2006319783.tif 000003
【図２】
2006319783.tif 000004
【図３】
2006319783.tif 000005
【図４】
2006319783.tif 000006
【図５】
2006319783.tif 000007